【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
本体部（２）に鉛筆芯（３）を配してなる鉛筆を切削することで、該本体部（２）の先端に、鉛筆芯（３）の径に対応する内径（Ｒ）を有し鉛筆径（Ｘ）よりも外径（Ｙ）が小さい平坦面からなるリング部（４）と、該リング部（４）から周側面に連続するテ―パ部（５）と、を有する既切削鉛筆（１）を製造する既切削鉛筆の製造方法であって、
前記鉛筆の周側面から先端部方向に向けて傾斜状に切削する第１の切削工程と、
前記第１の切削工程によって形成された傾斜部（７）から前記鉛筆芯（３）に向けて、長手方向に略直交する方向に切削する第２の切削工程と、を含むことを特徴とする既切削鉛筆の製造方法。
【請求項２】
本体部（２）に鉛筆芯（３）を配してなる鉛筆を切削することで、該本体部（２）の先端に、鉛筆芯（３）の径に対応する内径（Ｒ）を有し鉛筆径（Ｘ）よりも外径（Ｙ）が小さい平坦面からなるリング部（４）と、該リング部（４）から周側面に連続するテ―パ部（５）と、を有する既切削鉛筆（１）を製造する装置であって、
前記鉛筆の周側面から先端部方向に向けて傾斜状に切削する第１の切削刃（１５ａ，２５ａ，３５ａ，４５ａ）と、
前記第１の切削刃（１５ａ，２５ａ，３５ａ，４５ａ）によって形成された傾斜部（７）から前記鉛筆芯（３）に向けて、長手方向に略直交する方向に切削する第２の切削刃（１５ｂ，２５ｂ，３５ｂ，４５ｂ）と、を含んで構成されたことを特徴とする既切削鉛筆の製造装置。
【請求項３】
ケース（１１）に設けられた第１の鉛筆差込口（１２ａ）から内部に向けて縮径する保持部（１３）の傾斜面に沿ってスリット（１４）を設けると共に、該スリット（１４）に沿って傾斜状に前記第１の切削刃（１５ａ）を取り付けてなる第１の切削部と、
前記ケース（１１）に第２の鉛筆差込口（１２ｂ）を設け、差し込まれた鉛筆に対して略直交方向に延びる前記第２の切削刃（１５ｂ）を取り付けてなる第２の切削部と、を備え、
前記第１の鉛筆差込口（１２ａ）に差し込まれた鉛筆を、鉛筆芯（３）を中心に回転させることで、前記本体部（２）の先端が削られて傾斜部（７）が形成され、該傾斜部（７）を前記第２の鉛筆差込口（１２ｂ）に挿入して回転させることで、前記傾斜部（７）の先端部が削り落とされて、前記リング部（４）が形成されて芯先（６）が露出されるように構成したことを特徴とする請求項２に記載の既切削鉛筆の製造装置。
【請求項４】
鉛筆差込口（２２）からケース（２１）の内部に向けて縮径する保持部（２３）の傾斜面に沿ってスリット（２４）を設けると共に該スリット（２４）に沿って傾斜状に前記第１の切削刃（２５ａ）を設け、前記鉛筆に略直交する方向に刃先が延びる前記第２の切削刃（２５ｂ）を設け、
前記鉛筆差込口（２２）に差し込んだ状態で鉛筆を回転させることで、前記第１の切断刃（２５ａ）によって前記テーパ部（５）が形成され、前記第２の切削刃（２５ｂ）によってリング部（４）が形成されて芯先（６）が露出されるように構成したことを特徴とする請求項２に記載の既切削鉛筆の製造装置。
【請求項５】
鉛筆差込口（３２）からケース（３１）の内部に向けて配設された保持部（３３）内に傾斜状に配設され、差し込まれた鉛筆の周りを自転しながら公転することで、円筒形の周面に配された螺旋刃によって、前記本体部（２）の先端を傾斜状に切削する前記第１の切削刃（３５ａ）と、
前記鉛筆を長手方向に略直交する方向に切削する前記第２の切削刃（３５ｂ）と、を備え、
前記保持部（３３）を回転させることで、前記第１の切削刃（３５ａ）が前記本体部（２）の先端を切削して傾斜部（７）を形成し、該傾斜部（７）が前記第２の切削刃（３５ｂ）によって削り落とされて前記リング部（４）の形成と同時に芯先（６）が露出されるように構成したことを特徴とする請求項２に記載の既切削鉛筆の製造装置。
【請求項６】
表面に鑢部を有してなる回転ローラの回転方向（Ｎ）に沿って載置された鉛筆を、該回転ローラの幅方向（Ｗ）に向けて転動させることで、前記本体部（２）の先端を傾斜状に切削する前記第１の切削刃（４５ａ）と、
前記回転ローラの回転方向（Ｎ）とは直交する方向に配設された前記第２の切断刃（４５ｂ）と、を備えてなり、
前記第１の切削刃（４５ａ）によって形成された傾斜部（７）の先端を、前記第２の切断刃（４５ｂ）が切削することで、前記リング部（４）の形成と同時に芯先（６）が露出されるように構成されたことを特徴とする請求項２に記載の既切削鉛筆の製造装置。
【請求項７】
本体部（２）に鉛筆芯（３）を配してなる既切削鉛筆（１）であって、
前記本体部（２）の先端部を、
前記鉛筆芯（３）の径に対応する内径（Ｒ）を有し、鉛筆径（Ｘ）よりも小さい外径（Ｙ）を有する平坦面からなるリング部（４）と、
該リング部（４）から前記本体部（２）の周側面に連続するテーパ部（５）と、によって構成し、
前記リング部（４）から前記鉛筆芯（３）の芯先（６）を露出させて構成されたことを特徴とする既切削鉛筆。
【手続補正２】
【補正対象書類名】明細書
【補正対象項目名】発明の名称
【補正方法】変更
【補正の内容】
【発明の名称】既切削鉛筆の製造方法、既切削鉛筆の製造装置及び既切削鉛筆
【手続補正３】
【補正対象書類名】明細書
【補正対象項目名】０００６
【補正方法】変更
【補正の内容】
【０００６】
上記課題を解決するために、本発明は、本体部に鉛筆芯を配してなる鉛筆を切削することで、該本体部の先端に、鉛筆芯の径に対応する内径を有し鉛筆径よりも外径が小さい平坦面からなるリング部と、該リング部から周側面に連続するテ―パ部と、を有する既切削鉛筆を製造する方法であって、前記鉛筆の周側面から先端部方向に向けて傾斜状に切削する第１の切削工程と、前記第１の切削工程によって形成された傾斜部から前記鉛筆芯に向けて、長手方向に略直交する方向に切削する第２の切削工程と、を含むことを特徴とするものである。
【手続補正４】
【補正対象書類名】明細書
【補正対象項目名】０００７
【補正方法】変更
【補正の内容】
【０００７】
本発明に係る既切削鉛筆の製造装置は、本体部に鉛筆芯を配してなる鉛筆を切削することで、該本体部の先端に、鉛筆芯径に対応する内径を有し鉛筆径よりも外径が小さい平坦面からなるリング部と、該リング部から周側面に連続するテ―パ部と、を有する既切削鉛筆を製造する既切削鉛筆の製造装置であって、前記鉛筆の周側面から先端部方向に向けて傾斜状に切削する第１の切削刃と、前記第１の切削刃によって形成された傾斜部から前記鉛筆芯に向けて、長手方向に略直交する方向に切削する第２の切削刃と、を含むものである。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この場合、ケースに設けられた第１の鉛筆差込口から内部に向けて縮径する保持部の傾斜面に沿ってスリットを設けると共に、該スリットに沿って傾斜状に前記第１の切削刃を取り付けてなる第１の切削部と、前記ケースに第２の鉛筆差込口を設け、差し込まれた鉛筆に対して略直交方向に延びる前記第２の切削刃を取り付けてなる第２の切削部と、を備え、前記第１の鉛筆差込口に差し込まれた鉛筆を、鉛筆芯を中心に回転させることで、前記本体部の先端が削られて傾斜部が形成され、該傾斜部を前記第２の鉛筆差込口に挿入して回転させることで、前記傾斜部の先端部が削り落とされて、前記リング部が形成されて芯先が露出されるように構成したものであってもよい。
【手続補正７】
【補正対象書類名】明細書
【補正対象項目名】００１０
【補正方法】変更
【補正の内容】
【００１０】
また、鉛筆差込口からケースの内部に向けて縮径する保持部の傾斜面に沿ってスリットを設けると共に該スリットに沿って傾斜状に前記第１の切削刃を設け、前記鉛筆に略直交する方向に刃先が延びる前記第２の切削刃を設け、前記鉛筆差込口に差し込んだ状態で鉛筆を回転させることで、前記第１の切断刃によって前記テーパ部が形成され、前記第２の切削刃によってリング部が形成されて芯先が露出されるように構成してもよい。
また、鉛筆差込口からケースの内部に向けて配設された保持部内に傾斜状に配設され、差し込まれた鉛筆の周りを自転しながら公転することで、円筒形の周面に配された螺旋刃によって、前記本体部の先端を傾斜状に切削する前記第１の切削刃と、前記鉛筆を長手方向に略直交する方向に切削する前記第２の切削刃と、を備え、前記保持部を回転させることで、前記第１の切削刃が前記本体部の先端を切削して傾斜部を形成し、該傾斜部が前記第２の切削刃によって削り落とされて前記リング部の形成と同時に芯先が露出されるように構成されたものであってもよい。
【手続補正８】
【補正対象書類名】明細書
【補正対象項目名】００１１
【補正方法】変更
【補正の内容】
【００１１】
また、表面に鑢部を有してなる回転ローラの回転方向に沿って載置された鉛筆を、該回転ローラの幅方向に向けて転動させることで、前記本体部の先端を傾斜状に切削する前記第１の切削刃と、前記回転ローラの回転方向とは直交する方向に配設された前記第２の切断刃と、を備えてなり、前記第１の切削刃によって形成された傾斜部の先端を、前記第２の切断刃が切削することで、前記リング部の形成と同時に芯先が露出されるように構成してもよい。
本発明に係る既切削鉛筆は、本体部の中心に鉛筆芯を配してなる既切削鉛筆であって、 前記本体部の先端部を、 前記鉛筆芯の径に対応する内径を有し、鉛筆径よりも小さい外径を有する平坦面からなるリング部と、 該リング部から前記本体部の周側面に連続するテーパ部と、によって構成し、 前記リング部から前記鉛筆芯の芯先を露出させて構成されたことを特徴とするものである。
【手続補正９】
【補正対象書類名】明細書
【補正対象項目名】００１２
【補正方法】変更
【補正の内容】
【００１２】
請求項１に係る方法で製造された既切削鉛筆は、長尺状の本体部の中央に鉛筆芯を配してなる鉛筆の本体部先端を、鉛筆径よりも小さい外径を有する平坦面からなるリング部と、リング部から本体部の周側面に連続するテーパ部と、によって構成し、前記リング部から芯先を露出させたので、この既切削鉛筆を箱などに収容した状態で落下させた場合であっても、鉛筆芯の中折れや欠けが発生し難くなる。
リング部から円柱形状の芯先が露出されるので、芯先角部の稜線に沿って移動させることで細い線を描くことができるし、該稜線の直交方向に移動させることで太い線を描くことも可能となる。
【手続補正１０】
【補正対象書類名】明細書
【補正対象項目名】００１３
【補正方法】変更
【補正の内容】
【００１３】
この製造方法は、鉛筆の周側面から先端部方向に向けて傾斜状に切削する第１の切削工程と、切削された傾斜部から前記鉛筆芯に向けて長手方向に略直交する方向に切削する第２の切削工程と、を含んで構成されたので、本体部の先端に、鉛筆径よりも外径が小さい平坦面からなるリング部と、該リング部から周側面に連続するテ―パ部と、を有する構造の既切削鉛筆を容易に製造することができる。鉛筆芯に触れることなく、本体部が傾斜状に切削されるので、鉛筆芯に対する負荷を低減させることができる。これによって、鉛筆芯と本体部との間の接着材が剥がれるのを防止でき、衝撃を受けた場合でも鉛筆芯が折れ難くなる。
【手続補正１１】
【補正対象書類名】明細書
【補正対象項目名】００１４
【補正方法】変更
【補正の内容】
【００１４】
本発明に係る既切削鉛筆の製造装置は、鉛筆の周側面から先端部方向に向けて傾斜状に切削する第１の切削刃と、その第１の切削刃によって形成された傾斜部から鉛筆芯に向けて、長手方向に略直交する方向に切削する第２の切削刃とを有するので、長尺状の本体部の先端に、鉛筆芯径に対応する内径を有し鉛筆径よりも外径が小さい平坦面からなるリング部と、該リング部から周側面に連続するテ―パ部と、を有する既切削鉛筆を容易に製造することができる。
これによって、鉛筆芯が鉛筆内部で保護された状態を維持することができ、衝撃を受けた際の鉛筆芯の中折れ現象を、極めて効果的に防止することができる。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
請求項３に係る既切削鉛筆の製造装置は、第１の鉛筆差込口から縮径する保持部において鉛筆を回転させることで、本体部を切削してその先端に傾斜部を形成し、その後、第２の鉛筆差込口に差し込み、鉛筆に対して略直交方向に延びる第２の切削刃によって傾斜部を切削するので、鉛筆の周面から連続するテーパ部の先端に、平坦面からなるリング部を有し、その中央から鉛筆芯が露出される構造の既切削鉛筆を容易に製造することができる。
本体部が傾斜状に削られる際に、その切削刃が鉛筆芯に触れることがないので、鉛筆芯に対する負荷は生じない。また、単一の刃によって本体部と鉛筆芯が同時に切削されることがないので、鉛筆芯と本体部との間の抗力によって接着性が低下するという問題を回避できる。これによって、鉛筆芯が鉛筆内部で保護された状態を維持することができ、衝撃を受けた際の鉛筆芯の中折れ現象を効果的に防止できる。
【手続補正１４】
【補正対象書類名】明細書
【補正対象項目名】００１７
【補正方法】変更
【補正の内容】
【００１７】
請求項４に係る既切削鉛筆の製造装置は、縮径する保持部において鉛筆を保持した状態で回転させ、傾斜状に配設された第１の切削刃によって本体部先端に傾斜部を形成し、鉛筆に対して略直交方向に延びる第２の切削刃によって傾斜部を切削するので、鉛筆の周面から連続するテーパ部の先端にリング部を有し、その中央から芯先が露出された形態の既切削鉛筆を容易に製造することができる。
請求項５に係る既切削鉛筆の製造装置は、鉛筆差込口から傾斜状に配設された円筒形の周面に螺旋刃を配することで第１の切削刃を形成し、その円筒刃が鉛筆の周りを自転しながら公転することで本体部先端に傾斜部を形成するように構成したので、ハンドルや電動手段で第１の切削刃を公転させることで、鉛筆の周面から連続するテーパ部の先端に、平坦面からなるリング部を有し、その中央から鉛筆芯が露出される構造の既切削鉛筆を迅速に製造することができる。
【手続補正１５】
【補正対象書類名】明細書
【補正対象項目名】００１８
【補正方法】変更
【補正の内容】
【００１８】
請求項６に係る既切削鉛筆の製造装置は、高速回転するローラの表面の鑢部によって鉛筆の本体部先端の周面を傾斜状に削り、その後、ローラの回転方向に直交する方向に配設された第２の切削刃によって、傾斜部の先端が削り落とされるので、きわめて迅速に既切削鉛筆を製造することができる。
特に、回転ローラの回転方向に沿った方向に鉛筆が載置されるので、鉛筆芯に沿った方向に鉛筆を削ること（縦削り）ができ、鉛筆の周側面に沿って回転させて削る方式（横削り）に生ずる問題点（単一の切削刃によって本体部と鉛筆芯とが同時に削られることによって生じる両部材間の抗力により、両部材間に介在する接着材が離れ落ちること）を回避できる。これによって、衝撃に強い既切削鉛筆を極めて効率的に製造することが可能となる。
請求項７に係る既切削鉛筆は、長尺状の本体部の中央に鉛筆芯を配してなる鉛筆の本体部先端を、鉛筆径よりも小さい外径を有する平坦面からなるリング部と、リング部から本体部の周側面に連続するテーパ部と、によって構成し、前記リング部から芯先を露出させたので、この既切削鉛筆を箱などに収容した状態で落下させた場合であっても、鉛筆芯の中折れや欠けが発生し難くなる。
【手続補正１６】
【補正対象書類名】明細書
【補正対象項目名】００１９
【補正方法】変更
【補正の内容】
【００１９】
【図１】本発明の実施形態に係る既切削鉛筆を示す斜視図である。
【図２】上記既切削鉛筆を示し、（ａ）は平面図、（ｂ）は側面図、（ｃ）は底面図である。
【図３】上記既切削鉛筆の変形例を示し、（ａ）は第１変形例としての色鉛筆の平面図、側面図及び底面図、（ｂ）は第２変形例としての書き方鉛筆の平面図、側面図及び底面図を示す。
【図４】上記変形例の拡大図であり、（ａ）は上記色鉛筆の平面、側面及び底面を示し、（ｂ）は上記書き方鉛筆の平面、側面及び底面を示す。
【図５】上記既切削鉛筆の効果を検証するための実験のサンプルの平面図及び側面図であり、（ａ）は実施例、（ｂ）は比較例を示す。
【図６】テ―パ部の傾斜角度の最適値を求めるための実験の説明図であり、（ａ）は実施例、（ｂ）は比較例を示す。
【図７】本発明に係る既切削鉛筆の製造装置の第１実施形態としての鉛筆削器を示す説明図である。
【図８】上記鉛筆削器の第２の切削刃を示し、（ａ）は平面図、（ｂ）はＡ−Ａ矢視断面図である。
【図９】上記鉛筆削器の使用状態を示す断面図であり、（ａ）は第１の切削工程、（ｂ）は第２の切削工程を示す。
【図１０】鉛筆が切削される状態を示す斜視図であり、（ａ）は第１の切削刃によって切削された状態、（ｂ）は第２の切削刃によって切削された状態を示す。
【図１１】上記鉛筆削器の第１実施例を示し、（ａ）は平面図、（ｂ）は正面図、（ｃ）は底面図である。
【図１２】上記第１実施例の（ａ）は左側面図、（ｂ）は右側面図、（ｃ）は背面図、（ｄ）はＡ−Ａ線矢視断面図である。
【図１３】上記鉛筆削器の第２実施例を示し、（ａ）は平面図、（ｂ）は正面図、（ｃ）は底面図である。
【図１４】上記第２実施例の（ａ）は左側面図、（ｂ）は右側面図、（ｃ）は背面図、（ｄ）はＡ−Ａ線矢視断面図である。
【図１５】上記鉛筆削器の第１変形例を示す断面図である。
【図１６】上記鉛筆削器の第２変形例を示す断面図である。
【図１７】第２変形例に係る鉛筆削器によって芯先が成型された状態の既切削鉛筆の例を示す説明図である。
【図１８】本発明に係る既切削鉛筆の製造装置の第２実施形態としての鉛筆削器を示す説明図ある。
【図１９】上記鉛筆削器の第１の切削刃と第２の切削刃の構成を示し、（ａ）は斜視図であり、（ｂ）は平面図である。
【図２０】上記鉛筆削器の実施例を示し、（ａ）は平面図、（ｂ）は正面図、（ｃ）は底面図である。
【図２１】上記実施例の（ａ）は左側面図、（ｂ）は右側面図、（ｃ）は背面図、（ｄ）はＡ−Ａ線矢視断面図である。
【図２２】上記鉛筆削器の変形例を示す斜視図であり、（ａ）は第１の切削刃の刃先に連続して第２の切削刃の刃先を設けた第１変形例であり、（ｂ）は非連続に設けた第２変形例を示す。
【図２３】上記鉛筆削器の第３変形例の説明図であり、（ａ）は第１の切削刃によって切削されている際の状態を示し、（ｂ）は第２の切削刃が押し下げられて切削を開始する状態を示し、（ｃ）はストッパに当接して第２の切削刃による切削が終了する状態を示す。
【図２４】本発明の既切削鉛筆の製造装置の第３実施形態に係る鉛筆削器を示す説明図である。
【図２５】上記鉛筆削器の使用状態を示す説明図である。
【図２６】上記鉛筆削器の変形態様を示す説明図である。
【図２７】本発明の既切削鉛筆の製造装置の第４実施形態としての工業用鉛筆削器の構成を示す説明図である。
【図２８】上記鉛筆削器の第１の切断刃としてのグラインダの使用状態を示し、（ａ）は側面図であり、（ｂ）は平面図である。